(57)【要約】【課題】引出形の収納機器と制御機器を正面側に配置する屋内形の閉鎖配電盤を、屋外形にも適用できるようにする。【解決手段】第１、第２の引出形遮断器２、３のような収納機器を収納する箱体１と、箱体１の正面側に設けられた収納機器を制御する第１、第２の制御機器１０、１１と、これらの制御機器１０、１１を覆うように箱体１の正面側に一方端が固定された防水枠２０と、防水枠２０の他方端に開閉自在に設けられた正面扉１３と、箱体１の天井に設けられた屋根１４とを備えたことを特徴とする。第１、第２の引出形遮断器２、３、第１、第２の制御機器１０、１１、正面扉１３は、屋内形と同様の機器配置である。【選択図】  図１
2013094013.tif 000002
【特許請求の範囲】
【請求項１】
収納機器を収納する箱体と、
前記箱体の正面側に設けられた制御機器と、
前記制御機器を覆うように前記箱体の正面側に設けられた防水枠と、
前記防水枠に開閉自在に設けられた正面扉と、
前記箱体の天井に設けられた屋根と、
を備えたことを特徴とする屋外形閉鎖配電盤。
【請求項２】
前記収納機器は、引出形遮断器であることを特徴とする請求項１に記載の屋外形閉鎖配電盤。
【請求項３】
前記防水枠を設けたエリアに、前記制御機器を収納できることを特徴とする請求項１または請求項２に記載の屋外形閉鎖配電盤。
【請求項４】
前記箱体と前記防水枠との接続部にシール部材を設けたことを特徴とする請求項１乃至請求項３のいずれか１項に記載の屋外形閉鎖配電盤。
【請求項５】
前記箱体を列盤し、列盤した箱体を一枚の屋根で覆ったことを特徴とする請求項１乃至請求項４のいずれか１項に記載の屋外形閉鎖配電盤。
【発明の詳細な説明】
【技術分野】
【０００１】
本発明の実施形態は、屋外形と屋内形で収納機器の配置を同様とし、機器配置の標準化を図った屋外形閉鎖配電盤に関する。
【背景技術】
【０００２】
従来、屋外形閉鎖配電盤は、正面側に制御機器を配置し、背面側に引出形の収納機器を配置している（例えば、特許文献１参照）。これは、収納機器と制御機器の点検を容易にするためである。仮に、収納機器と制御機器を正面側または背面側の同一方向に配置していると、制御機器を解放または取外した後、収納機器を引出す手順となるため、制御機器を箱体から露出させなくてはならない。このため、降雨時には、濡れてしまうことになる。なお、屋内形では、正面側の同一方向に制御機器と収納機器が配置されている（例えば、特許文献２参照）。
【０００３】
この種の屋外形閉鎖配電盤を図３に示すが、箱体１の背面側には、図示上段に第１の引出形遮断器２、図示下段に第２の引出形遮断器３が配置されている。第１の引出形遮断器２の電源側には、第１の変流器４を介して第１の電力ケーブル５が接続されている。負荷側は、第２の遮断器３の負荷側に接続されている。また、隣接する盤へ接続される共通母線６に接続されている。第２の遮断器３の電源側には、第２の変流器７を介して第２の電力ケーブル８が接続されている。
【０００４】
箱体１の正面側には、隔壁９で仕切られた室に、第１の引出形遮断器２を制御する第１の制御機器１０と、第２の引出形遮断器３を制御する第２の制御機器１１が設けられている。なお、背面側には開閉自在の背面扉１２、正面側には開閉自在の正面扉１３、天井には屋根１４が設けられている。また、引出形遮断器２、３は、背面側に移動する。
【０００５】
このような屋外形閉鎖配電盤は、屋外形専用として製造されている。一方、上述した屋内形も屋内形専用として製造されており、一般的に屋内形の方が製造する面数が多い。このため、屋内形の機器配置で屋外形にも使用できるようなものが望まれていた。これにより、収納機器の配置の標準化を図ることができる。
【先行技術文献】
【特許文献】
【０００６】
【特許文献１】特開平１１−３１８００９号公報
【特許文献２】特開２００７−２７４８６１号公報
【発明の概要】
【発明が解決しようとする課題】
【０００７】
本発明が解決しようとする課題は、引出形の収納機器と制御機器を正面側の同一方向に配置する屋内形のものを、屋外形にも適用できるようにした屋外形閉鎖配電盤を提供することにある。
【課題を解決するための手段】
【０００８】
上記課題を解決するために、実施形態の屋外形閉鎖配電盤は、収納機器を収納する箱体と、前記箱体の正面側に設けられた制御機器と、前記制御機器を覆うように前記箱体の正面側に設けられた防水枠と、前記防水枠に開閉自在に設けられた正面扉と、前記箱体の天井に設けられた屋根と、を備えたことを特徴とする。
【図面の簡単な説明】
【０００９】
【図１】本発明の実施例１に係る屋外形閉鎖配電盤の構成を示す側面図。
【図２】本発明の実施例２に係る屋外形閉鎖配電盤の構成を示す上面図。
【図３】従来の屋外形閉鎖配電盤の構成を示す側面図。
【発明を実施するための形態】
【００１０】
本発明による実施形態は、屋内形に防水部材を取付け、屋外形に適用するものである。以下、図面を参照して本発明の実施例を説明する。
【実施例１】
【００１１】
先ず、本発明の実施例１に係る屋外形閉鎖配電盤を図１を参照して説明する。図１は、本発明の実施例１に係る屋外形閉鎖配電盤の構成を示す側面図である。なお、従来と同様の構成部分は、同一符号を付した。
【００１２】
図１に示すように、箱体１の正面側には、図示上段に第１の引出形遮断器２、図示下段に第２の引出形遮断器３が配置されている。第１の引出形遮断器２の電源側には、第１の変流器４を介して第１の電力ケーブル５が接続されている。負荷側は、第２の遮断器３の負荷側に接続されている。また、隣接する盤へ接続される共通母線６に接続されている。第２の遮断器３の電源側には、第２の変流器７を介して第２の電力ケーブル８が接続されている。
【００１３】
箱体１の正面側には、第１の引出形遮断器２を制御する第１の制御機器１０と、第２の引出形遮断器３を制御する第２の制御機器１１が設けられている。また、正面側には、矩形状の防水枠２０が設けられており、一方端が箱体１にボルトで締付固定され、他方端に正面扉１３を開閉自在に係止するヒンジが設けられている。防水枠２０は、制御機器１０、１１を覆うように設けられており、箱体１との接続部にはゴムパッキンなどのシール部材が設けられている。
【００１４】
天井には、正面側と背面側で高さの異なるコ字状の天井枠２１ａ、２１ｂを固定し、屋根１４を傾斜させ設けている。背面側には、開閉自在の背面扉１２が設けられている。なお、引出形遮断器２、３は、正面側に移動する。
【００１５】
これにより、箱体１内の機器配置は屋内形と同様であり、防水枠２０と天井枠２１ａ、２１ｂを設けることにより、屋外形とすることができる。点検時には、防水枠２０を設けたスペースに制御機器１０、１１を移動させることで、引出形遮断器２、３を正面側に移動させることができる。防水枠２０によるスペースにより、降雨時でも制御機器１０、１１や引出形遮断器２、３が濡れることはない。
【００１６】
なお、引出形遮断器２、３のほかに、避雷器や変成器などの引出形の収納機器を用いることができる。
【００１７】
上記実施例１の屋外形閉鎖配電盤によれば、箱体１の正面側に防水枠２０を設け、引出形遮断器２、３や制御機器１０、１１などを配置しているので、屋外形にも適用できるようになり、収納機器の配置の標準化を図ることができる。また、製造効率を向上させることができる。
【実施例２】
【００１８】
次に、本発明の実施例２に係る屋外形閉鎖配電盤を図２を参照して説明する。図２は、本発明の実施例２に係る屋外形閉鎖配電盤の構成を示す上面図である。なお、この実施例２が実施例１と異なる点は、列盤したことである。図２において、実施例１と同様の構成部分においては、同一符号を付し、その詳細な説明を省略する。
【００１９】
図２に示すように、列盤した箱体１ａ、１ｂ、１ｃの正面側には、それぞれ波板状の防水枠２０ａ、２０ｂ、２０ｃを設けている。また、箱体間１ａ−１ｂ、１ｂ−１ｃには、正面扉１３ａ、１３ｂ、１３ｃ、背面扉１２ａ、１２ｂ、１２ｃの開閉操作が干渉されないようなコ字状の盤間板２２ａ、２２ｂが設けられている。天井には、列盤した箱体１ａ、１ｂ、１ｃの全体を一枚で覆うような屋根１４ａが設けられている。
【００２０】
上記実施例２の屋外形閉鎖配電盤によれば、実施例１による効果のほかに、列盤する箱体１ａ、１ｂ、１ｃにおいても、屋内形を屋外形に適用することができる。また、屋根１４ａを一体型とすることにより、簡素な構造で雨水の浸入を防止することができる。
【００２１】
以上述べたような実施形態によれば、箱体の正面側に防水エリアを設けることにより、引出形遮断器と制御機器を正面側に配置することができる。このため、屋内形の収納機器配置のものを屋外形に適用することができる。
【００２２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２３】
１、１ａ、１ｂ、１ｃ  箱体
２  第１の引出形遮断器
３  第２の引出形遮断器
４  第１の変流器
５  第１の電力ケーブル
６  共通母線
７  第２の変流器
８  第２の電力ケーブル
９  隔壁
１０  第１の制御機器
１１  第２の制御機器
１２  背面扉
１３  正面扉
１４、１４ａ  屋根
２０、２０ａ、２０ｂ、２０ｃ  防水枠
２１ａ、２０ｂ  天井枠
２２ａ、２２ｂ  盤間板
【図１】
2013094013.tif 000003
【図２】
2013094013.tif 000004
【図３】
2013094013.tif 000005